(57)【要約】【課題】吸い殻回収作業を遊技者の邪魔にならずに行え、吸い殻回収作業時に吸い殻や灰が遊技者へ飛散することのない灰皿付き遊技機を得る。【解決手段】遊技機本体に設けられた支持部８と、遊技機本体の側方に向けて回動可能に支持部８に取り付けられ、煙草の吸い殻を受け入れる皿部１１が上向きになる第１の位置と皿部１１が下向きになる第２の位置とに回動する灰皿１０とを有する構成の灰皿付き遊技機とする。【選択図】        図６
2004344446.tif 000002
【特許請求の範囲】
【請求項１】
遊技機本体に設けられた支持部と、
前記遊技機本体の側方に向けて回動可能に前記支持部に取り付けられ、煙草の吸い殻を受け入れる皿部が上向きになる第１の位置と前記皿部が下向きになる第２の位置とに回動する灰皿とを有することを特徴とする灰皿付き遊技機。
【請求項２】
前記支持部には、前記灰皿の遊技者側に位置する突出部が形成されていることを特徴とする請求項１記載の灰皿付き遊技機。
【請求項３】
前記突出部の上端は前記灰皿の上端よりも低いことを特徴とする請求項２記載の灰皿付き遊技機。
【請求項４】
前記灰皿の上面には、煙草を載置可能な煙草受け部が設けられていることを特徴とする請求項２または３記載の灰皿付き遊技機。
【発明の詳細な説明】
【０００１】
【発明の属する技術分野】
本発明は灰皿付き遊技機に関するものである。
【０００２】
【従来の技術】
たとえばパチンコ機やパチスロ機などの遊技機には、遊技機本体の前面に灰皿が備えられ、喫煙者による遊技の快適性に配慮がされている。
【０００３】
ここで、たとえば特開２００１−２３２０１９号公報には、遊技機に付設された灰皿について、これを下方に回転させることにより、灰皿にたまった吸い殻を灰皿から落下させて回収する技術が開示されている。
【０００４】
しかしながら、この技術では灰皿が遊技者に向けて回転するようになっているために、遊技中にホール店員が吸い殻回収作業を行った場合には、遊技者は作業スペースを空けるために身体を側方に避けなければならず、快適な遊技の妨げになる。また、灰皿を下方に回転する際に、灰皿にたまった吸い殻や煙草の灰が遊技者へ飛散して着衣を汚すおそれがある。このように、当該技術では、ホール店員のサービスが、却って遊技者の不快感を生むことになりかねなかった。
【０００５】
また、たとえば特開２０００−１７６１２５号公報には、ヒンジを介して灰皿部を遊技者側へ突出するように水平方向に揺動させて遊技機の側方へ移動させた後に、これを下方に回転させることにより、灰皿にたまった吸い殻を灰皿から落下させて回収する技術が開示されている。
【０００６】
【特許文献１】
特開２００１−２３２０１９号公報
【０００７】
【特許文献２】
特開２０００−１７６１２５号公報
【０００８】
【発明が解決しようとする課題】
この技術では、灰皿を遊技機の側方に移動した後に下方に回転させているので、下方への回転時に吸い殻や灰が飛散しても、これによる遊技者の着衣に対する汚染のおそれは大幅に緩和される。
【０００９】
しかしながら、揺動時において灰皿が遊技者に接近するので、遊技者の遊技の邪魔になる。
【００１０】
また、灰皿の周辺に灰が付着していたり吸い殻が灰皿からはみ出している場合には、揺動時に灰が飛散したり吸い殻が遠心力で飛ばされるので、前述した下方への回転時ではなく、今度は水平方向への揺動時に遊技者の着衣を汚すおそれが懸念される。
【００１１】
そこで、本発明は、吸い殻の回収作業を遊技者の邪魔にならないように行うことのできる灰皿付き遊技機を提供することを目的とする。
【００１２】
また、本発明は、吸い殻の回収作業時において吸い殻や灰が遊技者へ飛散することのない灰皿付き遊技機を提供することを目的とする。
【００１３】
【課題を解決するための手段】
上記課題を解決するため、本発明に係る灰皿付き遊技機は、遊技機本体に設けられた支持部と、軸支部に支持されるとともに前記遊技機本体の側方に向けて回動可能に前記支持部に取り付けられ、煙草の吸い殻を受け入れる皿部が上向きになる第１の位置と前記皿部が下向きになる第２の位置とに回動する灰皿とを有することを特徴とする。
【００１４】
このような発明によれば、皿部が下向きになる第２の位置に灰皿を回動したときに、皿部は遊技機本体の側方に倒れるようにして下向きになるので、吸い殻の回収作業は遊技機の側方から行われることになり、吸い殻の回収作業を遊技者の邪魔にならないように行うことが可能になる。また、吸い殻等は灰皿の回動方向に沿って側方に飛散するために、吸い殻の回収作業時において吸い殻や灰が遊技者へ飛散し、遊技者の着衣などを汚すおそれがなくなる。
【００１５】
本発明の好ましい形態において、前記支持部には、前記灰皿の遊技者側に位置する突出部が形成されている。
【００１６】
これにより、遊技者が誤って灰皿に触れてこれが回動することを突出部により防止することができる。
【００１７】
本発明のさらに好ましい形態において、前記突出部の上端は前記灰皿の上端よりも低くなっている。
【００１８】
これにより、遊技者が灰皿に煙草の灰や吸い殻を入れる際に突出部が邪魔になることがない。
【００１９】
本発明のさらに好ましい形態において、前記灰皿の上面には、煙草を載置可能な煙草受け部が設けられている。
【００２０】
これにより、遊技者が吸いかけの煙草を煙草受け部に載置する際に突出部が邪魔になることがない。
【００２１】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００２２】
図１は本発明の一実施の形態である灰皿付き遊技機としてのパチンコ遊技機を示す正面図、図２は図１のパチンコ遊技機における特別図柄の変動態様の一例を示す説明図、図３は図１のパチンコ遊技機に取り付けられた灰皿を示す正面図、図４はパチンコ遊技機の支持部を示す平面図、図５は図４の側面図、図６は本発明の一実施の形態であるパチンコ遊技機の要部を示す平面図、図７は図６の側面図、図８は皿部が下向きになるように回動した灰皿を示す側面図である。
【００２３】
図１に示すパチンコ遊技機（遊技機）１は、本体枠２に前面枠３が開閉可能に取り付けられた遊技機本体を有する。前面枠３には透明な例えば２枚のガラス板４が取り付けられており、その裏面側には遊技盤５がこのガラス板４を通して視認可能に装着されている。そして、遊技盤５の前面枠３に包囲された領域として、多数の遊技くぎや入賞口、風車等（何れも図示せず）が配置され、打ち込まれた遊技球が流下する遊技領域がある。
【００２４】
遊技盤５の下方には、払い出された遊技球および遊技領域に打ち込まれる遊技球が貯留される上皿６ａが配置されている。上皿６ａの下方には、前方に突出した支持部８が形成されている。支持部８には、パチンコ遊技機１の幅方向の略中央に位置するようにして、払い出しにより上皿６ａからオーバーフローした遊技球が貯留される下皿６ｂが配置されている。そして、下皿６ｂの左側には、喫煙する遊技者のために灰皿が取り付けられている。また、下皿６ｂの右側には、レールを介して遊技盤５の遊技領域へ遊技球を打ち込む際に回動操作されるハンドル７が設けられている。
【００２５】
遊技領域の周囲に位置する前面枠３には、その上部の左右にスピーカ９ａ，９ｂがそれぞれ配置されている。このスピーカ９ａ，９ｂからは、たとえばリーチ演出時に遊技者の興趣を高めるために音声が流れる。
【００２６】
遊技盤５には、後方に配置された例えば液晶ディスプレイ、ＣＲＴ（陰極線管）あるいはプラズマディスプレイ等からなり、画像信号入力に基づいて任意の画像を表示する特別図柄表示部５ａが、遊技盤５に開口された孔を介して視認可能に配置されている。この特別図柄表示部５ａは遊技盤５の盤面中央で視認されるように配置されており、図２に示すように、左図柄Ｎ１、中図柄Ｎ２および右図柄Ｎ３からなる３列の複数の特別図柄が表示され、また、これら特別図柄の背後に背景画が表示される。特別図柄は予め定められた数字や絵柄やマークなどで構成され、画面上で上下方向（他の方向でもよい）に移動するよう変動表示されるとともに、所定の停止態様で停止させるようになっている。
【００２７】
具体的には、図２に示す特別図柄Ｎ１〜Ｎ３において、例えば図２（ａ）に示すような変動開始前の停止態様から図２（ｂ）に示すように変動が開始され、所定時間が経過すると、例えば図２（ｃ）〜図２（ｅ）に示すように、左図柄Ｎ１、右図柄Ｎ３、中図柄Ｎ２の順に異なるタイミングで特別図柄Ｎ１〜Ｎ３が停止されるようになっており、例えば、特別図柄Ｎ１〜Ｎ３の停止図柄の組合せが特定の賞態様（例えば図２（ｅ）に示す７、７、７のような同一図柄が揃う組み合せ）となったとき、通常遊技と比較して遊技者に有利な特別遊技の状態、すなわち大当り状態となる。
【００２８】
次に、支持部８に設けられた灰皿１０について詳細に説明する。
【００２９】
図３に示すように、灰皿１０は、上側に位置する上分割部１０ａと下側に位置する下分割部１０ｂとが接合した構造を有している。図４および図５に示すように、支持部８には、遊技機本体の側方に向けて開口した切り欠き部８ａが灰皿１０の形状に合わせて形成され、切り欠き部８ａ内には、一対の軸支部８ｂが相互に対向する位置に形成されている。そして、軸支部８ｂを挟むようにして上分割部１０ａと下分割部１０ｂとが嵌合することにより、図６および図７に示すように、灰皿１０が軸支部８ｂに支持されて切り欠き部８ａに回動可能に取り付けられる。
【００３０】
ここで、一対の軸支部８ｂは前後に配置されていることから、この軸支部８ｂに支持される灰皿１０は遊技機本体の側方に向けて回動し、そのときの回動面は垂直方向になる。
【００３１】
図示するように、上分割部１０ａの中央には煙草の吸い殻や灰などを受け入れる皿部１１が形成され、上分割部１０ａの上面には、煙草を載置するための窪みである煙草受け部１２が皿部１１の前方、つまり遊技者側に位置して設けられている。
【００３２】
灰皿１０の取り付けられた支持部８には、灰皿１０の遊技者側に突出部８ｃが形成されており、遊技者が誤って灰皿１０に触れて回動し、吸い殻や煙草の灰が周囲に飛散することを防止している。
【００３３】
また、突出部８ｃの上端は灰皿１０の上端よりも低くなっており、遊技者が煙草の灰や吸い殻を入れる際に突出部８ｃが邪魔にならないような配慮がされているとともに、吸いかけの煙草を煙草受け部１２に載置する際にも突出部８ｃが邪魔にならないような配慮がされている。
【００３４】
図３において、上分割部１０ａの下側面には、軸支部８ｂの径方向断面の半円形状にくり抜かれて下方に開口した軸孔１３ａが形成されている。また、下分割部１０ｂには、軸支部８ｂの径方向断面の半円形状にくり抜かれて上方に開口した軸孔１３ｂが形成されている。したがって、上分割部１０ａと下分割部１０ｂとが嵌合することにより上分割部１０ａの軸孔１３ａと下分割部１０ｂの軸孔１３ｂとで軸支部８ｂが挟まれ、前述のように灰皿１０が軸支部８ｂに支持されて切り欠き部８ａに回動可能に取り付けられる。
【００３５】
上部分割部１０ａおよび下分割部１０ｂの背面には、位置決め突起１４ａ，１４ｂが横方向に延びて形成されている。そして、位置決め突起１４ａ，１４ｂが切り欠き部８ａに形成された位置決め孔１５にはまり込んで自重で係止されたとき、灰皿１０は、皿部１１が上向きになる第１の位置となる（図７）。また、位置決め突起１４ａ，１４ｂが位置決め孔１５を抜け出して灰皿１０が第１の位置から側方に回動すると、皿部１１が下向きになる第２の位置となる（図８）。
【００３６】
これにより、皿部１１が下向きになる第２の位置に灰皿１０を回動したときに、皿部１１は遊技機本体の側方に倒れるようにして下向きになるので、吸い殻の回収作業は遊技中の遊技者が身体を動かす必要のない側方から行われる。したがって、吸い殻の回収作業を遊技者の邪魔にならないように行うことが可能になる。
【００３７】
また、このように灰皿１０は遊技機本体の側方に向けて回動するようになっているので、吸い殻や煙草の灰は灰皿１０の回動方向に沿って側方に飛散するために、吸い殻の回収作業時において吸い殻や灰が遊技者へ飛散し、遊技者の着衣などを汚すおそれがなくなる。
【００３８】
なお、本発明は、吸い殻等の回収作業が遊技者の邪魔にならず、吸い殻等が遊技者側に飛散しなければ足りるので、灰皿１０の回動方向である遊技機本体の側方とは、本実施の形態に示すような灰皿１０の回動面が遊技機本体に対して平行な方向のみに限定されるものではなく、傾斜していてもよい。
【００３９】
また、以上の説明においては、本発明を遊技機の一つであるパチンコ遊技機に適用した場合が説明されているが、本発明はパチンコ遊技機に限定されるものではなく、パチスロ機、スロットマシンあるいはゲームセンターに設置された各種ゲーム機のように不特定多数の遊技者が遊技機に対面して遊技する形態の遊技機に適用することが可能である。
【００４０】
【発明の効果】
以上の説明から明らかなように、本発明によれば以下の効果を奏することができる。
【００４１】
すなわち、皿部が下向きになる第２の位置に灰皿を回動したときに、皿部は遊技機本体の側方に倒れるようにして下向きになるので、吸い殻の回収作業は遊技機の側方から行われることになり、吸い殻の回収作業を遊技者の邪魔にならないように行うことが可能になる。
【００４２】
また、吸い殻等は灰皿の回動方向に沿って側方に飛散するために、吸い殻の回収作業時において吸い殻や灰が遊技者へ飛散し、遊技者の着衣などを汚すおそれがなくなる。
【００４３】
これにより、特に喫煙者に対して快適な遊技環境を提供することが可能になる。
【００４４】
支持部に、灰皿の遊技者側に位置する突出部を形成すれば、遊技者が誤って灰皿に触れてこれが回動することを突出部により防止することができる。
【００４５】
突出部の上端を記灰皿の上端よりも低くすれば、遊技者が灰皿に煙草の灰や吸い殻を入れる際に突出部が邪魔になることがない。
【００４６】
灰皿の上面に、煙草を載置可能な煙草受け部を設ければ、遊技者が吸いかけの煙草を煙草受け部に載置する際に突出部が邪魔になることがない。
【図面の簡単な説明】
【図１】本発明の一実施の形態である灰皿付き遊技機としてのパチンコ遊技機を示す正面図である。
【図２】図１のパチンコ遊技機における特別図柄の変動態様の一例を示す説明図である。
【図３】図１のパチンコ遊技機に取り付けられた灰皿を示す正面図である。
【図４】パチンコ遊技機の支持部を示す平面図である。
【図５】図４の側面図である。
【図６】本発明の一実施の形態であるパチンコ遊技機の要部を示す平面図である。
【図７】図６の側面図である。
【図８】皿部が下向きになるように回動した灰皿を示す側面図である。
【符号の説明】
１  パチンコ遊技機（遊技機）
２  本体枠
３  前面枠
４  ガラス板
５  遊技盤
５ａ  特別図柄表示部
６ａ  上皿
６ｂ  下皿
７  ハンドル
８  支持部
８ａ  切り欠き部
８ｂ  軸支部
８ｃ  突出部
９ａ，９ｂ  スピーカ
１０  灰皿
１０ａ  上分割部
１０ｂ  下分割部
１１  皿部
１２  煙草受け部
１３ａ，１３ｂ  軸孔
１４ａ，１４ｂ  位置決め突起
１５  位置決め孔
【図１】
2004344446.tif 000003
【図２】
2004344446.tif 000004
【図３】
2004344446.tif 000005
【図４】
2004344446.tif 000006
【図５】
2004344446.tif 000007
【図６】
2004344446.tif 000008
【図７】
2004344446.tif 000009
【図８】
2004344446.tif 000010